(57)【要約】【課題】保持器のポケットと玉との間で潤滑剤を保持することができ、騒音発生や温度上昇や潤滑剤の劣化や焼き付き等の不具合発生を抑制可能なラジアル玉軸受用保持器及びラジアル玉軸受を提供する。【解決手段】このラジアル玉軸受用保持器２０は、ラジアル玉軸受の軌道面間に配置される複数の玉５を転動自在に保持するために全体を円環状に形成して円周方向の複数箇所にポケット１８を設け、ポケットは、球状に部分的に形成された第１球状凹面部２１と、球状に部分的に形成された第２球状凹面部２２と、第１球状凹面部と第２球状凹面部との間に円筒状に形成された円筒状凹面部２３と、から構成され、第１球状凹面部と円筒状凹面部との間、及び円筒状凹面部と第２球状凹面部との間に、それぞれ潤滑剤溜まり部Ａ，Ｂを設け、保持器は、２つの円環状の構成部品１０から構成され、構成部品は、ポケットを形成するために、底部側に部分的に形成された球状凹面１１と、球状凹面の両端から延びて円筒状に形成された円筒状凹面１２と、を備える。【選択図】図１
2009052720.tif 000002
【特許請求の範囲】
【請求項１】
ラジアル玉軸受の軌道面間に配置される複数の玉を転動自在に保持するために全体を円環状に形成して円周方向の複数箇所にポケットを設けたラジアル玉軸受用保持器であって、
前記ポケットは、球状に部分的に形成された第１球状凹面部と、球状に部分的に形成された第２球状凹面部と、前記第１球状凹面部と前記第２球状凹面部との間に円筒状に形成された円筒状凹面部と、から構成され、前記第１球状凹面部と前記円筒状凹面部との間、及び前記円筒状凹面部と前記第２球状凹面部との間に、それぞれ潤滑剤溜まり部を設け、
前記保持器は、２つの円環状の構成部品から構成され、前記構成部品は、前記ポケットを形成するために、底部側に部分的に形成された球状凹面と、前記球状凹面の両端から延びて円筒状に形成された円筒状凹面と、を備えることを特徴とするラジアル玉軸受用保持器。
【請求項２】
前記２つの構成部品を組み合わせたとき、前記各構成部品の各球状凹面がそれぞれ前記第１及び第２球状凹面部を形成し、各円筒状凹面が前記円筒状凹面部を形成する請求項１に記載のラジアル玉軸受用保持器。
【請求項３】
前記円筒状凹面部は前記ポケット内で前記玉が転動するときの転動中心軸を中心にした円筒状に形成される請求項１または２に記載のラジアル玉軸受用保持器。
【請求項４】
前記構成部品の球状凹面は、前記ポケット内で前記玉が転動するときの転動中心軸上の前記玉の中心からずれた位置を中心とし前記玉の半径よりも大きい半径を有する請求項１，２または３に記載のラジアル玉軸受用保持器。
【請求項５】
前記構成部品の球状凹面は、前記ポケット内で前記玉が転動するときの転動中心軸上の前記玉の中心を中心とし前記玉の半径よりも大きい半径を有する請求項１，２または３に記載のラジアル玉軸受用保持器。
【請求項６】
外周面に内輪軌道面を有する内輪と内周面に外輪軌道面を有する外輪とを互いに同心に配置し、前記内輪軌道面と前記外輪軌道面との間に、請求項１乃至５のいずれか１項に記載のラジアル玉軸受用保持器を用いて複数の玉を保持し、軸受内部に潤滑剤を充填したことを特徴とするラジアル玉軸受。
【発明の詳細な説明】
【技術分野】
【０００１】
本発明は、ラジアル玉軸受の軌道面間に配置される複数の玉を転動自在に保持するラジアル玉軸受用保持器及びラジアル玉軸受に関する。
【背景技術】
【０００２】
従来のラジアル玉軸受の要部を図２の要部縦断面図に示す。図３に図２の保持器の全体形状を図２の方向Ｘからみた図を示す。図２，図３のように、従来のラジアル玉軸受は、転動体としての複数の玉５が内輪２の内輪軌道面１と外輪４の外輪軌道面３との間に配置され、全体を円環状に形成して円周方向の複数箇所に設けられたポケット７内で複数の玉５を転動自在に保持する保持器６を有する。図３のように、保持器６は２つの円環状の構成部品７を図３のように円周方向の分割線ｄで合わされて組み立てられている。
【０００３】
図４は、図３の保持器６を構成する構成部品７の半球状部を示す図（ａ）及び構成部品７を組み合わせた保持器のポケットを示す図（ｂ）である。保持器６の構成部品７は、図４（ａ）のように、円環状の一方の端面７ａに半径Ｒの半球状部８ａが形成されている。図４（ａ）の構成部品７を２つ、端面７ａ同士を合わせて組み立てることで保持器６ができあがる。このとき、図４（ｂ）のように２つの構成部品７の各半球状部８ａを組み合わせて球状のポケット８が構成され、球状のポケット８内で玉５が保持される。
【発明の開示】
【発明が解決しようとする課題】
【０００４】
図２のようなラジアル玉軸受は軸受内部にグリース等の潤滑剤が充填されて使用されるが、この使用中に図２，図３の保持器６の各ポケット８と玉５との間に潤滑剤が供給される。しかし、図３、図４のようにポケット８は球面形状であるため、保持器６と玉５との間に潤滑剤を保持する場所がなく、潤滑剤不足になり易く、このため、騒音発生や温度上昇や磨耗粉による潤滑剤の劣化等が生じ易くなってしまい、玉の焼き付きが発生するおそれがあった。
【０００５】
本発明は、上述のような従来技術の問題に鑑み、保持器のポケットと玉との間で潤滑剤を保持することができ、騒音発生や温度上昇や潤滑剤の劣化や焼き付き等の不具合発生を抑制可能なラジアル玉軸受用保持器及びラジアル玉軸受を提供することを目的とする。
【課題を解決するための手段】
【０００６】
上記目的を達成するために、本発明によるラジアル玉軸受用保持器は、ラジアル玉軸受の軌道面間に配置される複数の玉を転動自在に保持するために全体を円環状に形成して円周方向の複数箇所にポケットを設けたラジアル玉軸受用保持器であって、前記ポケットは、球状に部分的に形成された第１球状凹面部と、球状に部分的に形成された第２球状凹面部と、前記第１球状凹面部と前記第２球状凹面部との間に円筒状に形成された円筒状凹面部と、から構成され、前記第１球状凹面部と前記円筒状凹面部との間、及び前記円筒状凹面部と前記第２球状凹面部との間に、それぞれ潤滑剤溜まり部を設け、前記保持器は、２つの円環状の構成部品から構成され、前記構成部品は、前記ポケットを形成するために、底部側に部分的に形成された球状凹面と、前記球状凹面の両端から延びて円筒状に形成された円筒状凹面と、を備えることを特徴とする。
【０００７】
このラジアル玉軸受用保持器によれば、２つの円環状の構成部品から構成された保持器のポケットを第１及び第２球状凹面部と円筒状凹面部とから構成してポケット内に潤滑剤溜まり部を形成するので、軸受において保持器のポケットと玉との間に供給される潤滑剤を保持することができ、このため、軸受の潤滑性を向上でき、潤滑剤不足に起因する騒音発生や温度上昇や潤滑剤の劣化や焼き付き等の不具合発生を抑制できる。
【０００８】
上記ラジアル玉軸受用保持器において前記２つの構成部品を組み合わせたとき、前記各構成部品の各球状凹面がそれぞれ前記第１及び第２球状凹面部を形成し、各円筒状凹面が前記円筒状凹面部を形成するように構成できる。
【０００９】
また、前記円筒状凹面部は前記ポケット内で前記玉が転動するときの転動中心軸を中心にした円筒状に形成されることが好ましい。
【００１０】
また、前記構成部品の球状凹面は、前記ポケット内で前記玉が転動するときの転動中心軸上の前記玉の中心からずれた位置を中心とし前記玉の半径よりも大きい半径を有するように構成することが好ましい。また、前記構成部品の球状凹面は、前記ポケット内で前記玉が転動するときの転動中心軸上の前記玉の中心を中心とし前記玉の半径よりも大きい半径を有するように構成してもよい。
【００１１】
本発明のラジアル玉軸受は、外周面に内輪軌道面を有する内輪と内周面に外輪軌道面を有する外輪とを互いに同心に配置し、前記内輪軌道面と前記外輪軌道面との間に、上述のラジアル玉軸受用保持器を用いて複数の玉を保持し、軸受内部に潤滑剤を充填したことを特徴とする。
【００１２】
このラジアル玉軸受によれば、ポケット内に潤滑剤溜まり部を形成したので、保持器のポケットと玉との間に供給される潤滑剤を保持することができる。このため、軸受の潤滑性を向上でき、潤滑剤不足に起因する騒音発生や温度上昇や潤滑剤の劣化や焼き付き等の不具合発生を抑制できる。
【発明の効果】
【００１３】
本発明のラジアル玉軸受用保持器及びラジアル玉軸受によれば、保持器のポケットと玉との間で潤滑剤を保持することができ、軸受における潤滑性が向上し、騒音発生や温度上昇や潤滑剤の劣化や焼き付き等の不具合発生を抑制することができる。
【発明を実施するための最良の形態】
【００１４】
以下、本発明を実施するための最良の形態について図面を用いて説明する。図１は本実施の形態によるラジアル玉軸受用保持器を構成する構成部品１０の半ポケット部を示す図（ａ）及び構成部品１０を組み合わせた保持器のポケットを示す図（ｂ）である。
【００１５】
図１（ａ）、（ｂ）の本実施の形態による保持器２０は、２つの円環状の構成部品１０から構成され、全体形状が図３に示す保持器と略同一であり、図２のようなラジアル玉軸受に用いられるものである。
【００１６】
図１（ａ）、（ｂ）のように、保持器２０を構成する構成部品１０には、円環状の一方の端面１０ａに、保持器２０のポケット１８を構成するための半ポケット部１８ａが端面１０ａから凹んで形成されている。
【００１７】
半ポケット部１８ａは、図１（ａ）のように、底部側に形成された球状凹面１１と、球状凹面２１の両端から端面１０ａに延びる円筒状凹面１２，１２と、を有する。円筒状凹面１２は、転動中心軸ｖを中心とする円筒状に形成されている。球状凹面１１は、転動中心軸ｖ上の点Ｏ１を中心とする半径Ｒ１の球状に形成されている。図１（ａ）、（ｂ）のように点Ｏ１はポケット１８内で転動する玉５の中心から遠くなる方にずれており、球状凹面１１の半径Ｒ１は玉５の半径ｒよりも大きくなっている。
【００１８】
半ポケット部１８ａは、円周方向に等間隔に複数設けられており、図３と同様に複数のポケット１８を構成する。構成部品１０は樹脂から射出成形により製造することができる。
【００１９】
図１（ａ）の構成部品１０を２つ、端面１０ａ同士を合わせて組み立てると、図３と同様の保持器２０ができあがる。端面１０ａが図１（ｄ）、図３の円周方向の分割線ｄに相当する。これにより、図１（ａ）の半ポケット部１８ａが２つ組み合わされて図１（ｂ）のように玉５を転動自在に保持するポケット１８が構成される。このように、１つの構成部品１０を２つ用いて保持器２０を構成できるので、部品点数が多くならずコスト的に好ましい。
【００２０】
上述のように２つの構成部品１０を組み合わせると、２つ構成部品１０，１０の半ポケット部１８ａの各球状凹面１１がそれぞれ図１（ｂ）のようにポケット１８の第１球状凹面部２１及び第２球状凹面部２２を形成し、各円筒状凹面１２が円筒状凹面部２３，２３を形成する。
【００２１】
したがって、保持器２０のポケット１８は、転動中心軸ｖ上の点Ｏ１を中心とする半径Ｒ１を有する球状凹面の第１球状凹面部２１と、転動中心軸ｖ上の点Ｏ１’（点Ｏ１に対して転動中心軸ｖ上で玉５の中心Ｏの点対称位置にある）を中心とする半径Ｒ１を有する球状凹面の第２球状凹面部２２と、転動中心軸ｖを中心とする円筒状凹面の円筒状凹面部２３，２３と、から構成されることになる。
【００２２】
図１（ｂ）のように、ポケット１８において、第１球状凹面部２１と円筒状凹面部２３との間及び円筒状凹面部２３と第２球状凹面部２２との間の境界近傍領域に破線で示す玉５との間に隙間が形成されることで、潤滑剤を保持可能な第１潤滑剤溜まり部Ａ及び第２潤滑剤溜まり部Ｂが形成される。
【００２３】
上述のようなポケット１８を複数有する保持器２０（図３参照）を得てから、軸受に組み込んで図４と同様のラジアル玉軸受を完成させる。このラジアル玉軸受の内部にはグリース等の潤滑剤が充填される。この軸受使用中に保持器２０の各ポケット１８と玉５との間に潤滑剤が供給されるが、その潤滑剤を第１潤滑剤溜まり部Ａ及び第２潤滑剤溜まり部Ｂで保持することができる。したがって、軸受の潤滑性を向上でき、軸受内部の潤滑剤不足に起因する騒音発生や温度上昇や潤滑剤の劣化や焼き付き等の不具合発生を抑制できる。
【００２４】
次に、図１の保持器の変形例について図５を参照して説明する。図５は本実施の形態によるラジアル玉軸受用保持器の変形例を構成する構成部品１０Ａの半ポケット部を示す図（ａ）及び構成部品１０Ａを組み合わせた保持器２０Ａのポケットを示す図（ｂ）である。
【００２５】
図５（ａ）の構成部品１０Ａの半ポケット部１８ａは、球状凹面１１が玉の中心Ｏを中心とする半径Ｒ２の球状凹面になっている以外は、図１（ａ）と同様である。図５（ｂ）のように構成部品１０Ａを２つ組み合わせて保持器２０Ａを組み立てると、保持器２０Ａのポケット１８の第１及び第２球状凹面部２１，２２は、ともに、玉の中心Ｏを中心とする半径Ｒ２の球状凹面から構成される。半径Ｒ２は玉５の半径ｒよりも大きい。
【００２６】
図５（ｂ）のように、ポケット１８において、第１球状凹面部２１と円筒状凹面部２３との間及び円筒状凹面部２３と第２球状凹面部２２との間の境界近傍領域に破線で示す玉５との間に隙間が形成されることで、潤滑剤を保持可能な第１潤滑剤溜まり部Ａ’及び第２潤滑剤溜まり部Ｂ’が形成される。
【００２７】
上述の保持器２０Ａを組み込んだ図４と同様のラジアル玉軸受は、内部にグリース等の潤滑剤が充填されて使用されるが、使用中に保持器２０Ａの各ポケット１８と玉５との間に潤滑剤が供給された潤滑剤を第１潤滑剤溜まり部Ａ’及び第２潤滑剤溜まり部Ｂ’で保持することができる。したがって、軸受の潤滑性を向上でき、軸受内部の潤滑剤不足に起因する騒音発生や温度上昇や潤滑剤の劣化や焼き付き等の不具合発生を抑制できる。
【００２８】
以上のように本発明を実施するための最良の形態について説明したが、本発明はこれらに限定されるものではなく、本発明の技術的思想の範囲内で各種の変形が可能である。例えば、図１（ａ）の構成部品１０を２つ組み合わせて保持器２０を組み立てるとき、端面１０ａに接着剤を適用して構成部品１０同士を接着し固定できるが、例えば端面１０ａ等の複数箇所に凹凸を設けておき、凹凸嵌合で固定してもよく、この場合は接着剤を省略してもよい。
【００２９】
また、構成部品１０は、保持器２０を縦方向半分の高さ位置で円周方向に２分割した形状であるが、分割の仕方はこれに限定されず、例えば、段差がついた形状であってもよく、この場合、２つの構成部品は同一でなくともよく、２つの異なる構成部品としてもよい。
【図面の簡単な説明】
【００３０】
【図１】本実施の形態によるラジアル玉軸受用保持器を構成する構成部品１０の半ポケット部を示す図（ａ）及び構成部品１０を組み合わせた保持器のポケットを示す図（ｂ）である。
【図２】従来のラジアル玉軸受の要部を概略的に示す要部縦断面図である。
【図３】図２の保持器の全体形状を図２の方向Ｘからみた図である。
【図４】図３の保持器６を構成する構成部品７の半球状部を示す図（ａ）及び構成部品７を組み合わせた保持器のポケットを示す図（ｂ）である。
【図５】本実施の形態によるラジアル玉軸受用保持器の変形例を構成する構成部品１０Ａの半ポケット部を示す図（ａ）及び構成部品１０Ａを組み合わせた保持器２０Ａのポケットを示す図（ｂ）である。
【符号の説明】
【００３１】
１ 内輪軌道面
２ 内輪
３ 外輪軌道面
４ 外輪
５ 玉、転動体
１０，１０Ａ 構成部品
１０ａ 端面
１１ 球状凹面
１２ 円筒状凹面
１８ ポケット
１８ａ 半ポケット部
２０Ａ ラジアル玉軸受用保持器、保持器
２１ 第１球状凹面部
２２ 第２球状凹面部
２３ 円筒状凹面部
Ａ，Ｂ，Ａ’，Ｂ’ 潤滑剤溜まり部
Ｏ 玉５の中心
Ｒ１，Ｒ２ 球状凹面部の半径
ｄ 分割線
ｒ 玉５の半径
ｖ 転動中心軸
【図１】
2009052720.tif 000003
【図２】
2009052720.tif 000004
【図３】
2009052720.tif 000005
【図４】
2009052720.tif 000006
【図５】
2009052720.tif 000007